(57)【要約】【課題】乳幼児キャリアにおいて、キャリア本体の背当て部が子守者側から離れて脱落するのを防止する。【解決手段】乳幼児を保持するためのキャリア本体２を有するベビーキャリア１において、キャリア本体２の背当て部５を子守者側に接近して保持させるための（第１の）ベルト部材２０，２０′および（第２の）ベルト部材９，９′と、各ベルト部材を締結するための互いに係脱自在な（第１の）バックル２１，２１′および（第２の）バックル１０，１０′と、バックル２１，２１′が挿通しかつ挿通後は係合し得る環状穴７ａ，７′ａを有する脱落防止部材７，７′とを設ける。【選択図】　　図４
2004000687.tif 000002
【特許請求の範囲】
【請求項１】
乳幼児を保持するためのキャリア本体を有する乳幼児キャリアにおいて、前記キャリア本体の背当て部が子守者側から離れて脱落するのを防止するためのキャリア本体脱落防止機構であって、
前記キャリア本体の前記背当て部を子守者側に接近して保持させるための第１および第２のベルト部材と、
前記第１および第２のベルト部材を締結するための互いに係脱自在な第１および第２のバックルと、
前記第１のバックルが挿通しかつ挿通後は前記第１のバックルが係合し得る環状穴を有する脱落防止部材と、
を備えた乳幼児キャリアのキャリア本体脱落防止機構。
【発明の詳細な説明】
【０００１】
【発明の属する技術分野】
本発明は、乳幼児を保持しつつ運搬するための乳幼児キャリアに関する。
【０００２】
【従来の技術およびその課題】
乳幼児キャリアとして、たとえば特願平６−２５９３０２号公報に示すようなものが、本件出願人により提案されている。この乳幼児キャリアは、前当て部、股当て部および背当て部を一体に形成してなるキャリア本体を有し、前当て部の下端に取り付けられた肩掛けベルトのバックルが背当て部のバックルに係脱自在に係合することにより、キャリア本体が袋状に構成されて、該キャリア本体内に乳幼児が収容されて保持されるようになっている。
【０００３】
このような乳幼児キャリアによれば、その組立ての際には、上記各バックルを係合させるだけでよく、またキャリア本体を組立状態から展開状態にする際には、上記各バックルを外すだけでよいので、取扱いが簡単である。
【０００４】
しかしながら、その一方、組立状態において上記各バックルを外した場合には、キャリア本体の背当て部が子守者側から離れて脱落することになるため、乳幼児キャリアの使用時には、このような事態を防止したいとする要請もある。
【０００５】
本発明は、このような実情に鑑みなされたもので、乳幼児キャリアにおいて、キャリア本体の背当て部が子守者側から離れて脱落するのを防止できるキャリア本体脱落防止機構を提供することを目的とする。
【０００６】
【課題を解決するための手段】
請求項１の発明は、乳幼児を保持するためのキャリア本体を有する乳幼児キャリアにおいて、キャリア本体の背当て部が子守者側から離れて脱落するのを防止するためのキャリア本体脱落防止機構であって、キャリア本体の背当て部を子守者側に接近して保持させるための第１および第２のベルト部材と、第１および第２のベルト部材を締結するための互いに係脱自在な第１および第２のバックルと、第１のバックルが挿通しかつ挿通後は第１のバックルが係合し得る環状穴を有する脱落防止部材とを備えている。
【０００７】
請求項１の発明によれば、乳幼児キャリアの組立ての際において、第１および第２のバックルの締結時には、第１のバックルを脱落防止部材の環状穴に通してから、第１のバックルを第２のバックルに係合させる。
【０００８】
これにより、第１のバックルが第２のバックルから外れた場合には、第１のバックルが脱落防止部材の環状穴と干渉し、その結果、第１のバックルが第２のバックルから離れて下方に脱落するのが防止されて、キャリア本体の背当て部が子守者側から離れて脱落するのを防止できる。
【０００９】
【発明の実施の形態】
以下、本発明の実施態様を添付図面に基づいて説明する。
図１ないし図６は本発明の一実施態様による脱落防止機構が採用されたベビーキャリア（乳幼児キャリア）を説明するための図であり、図１はベビーキャリアの展開状態の表面図、図２はその裏面図、図３は脱落防止機構の斜視拡大図、図４は脱落防止機構を構成する各バックルの係合前の状態を示す図または脱落防止機構の作動を説明するための図、図５はベビーキャリアの組立状態の正面図、図６はベビーキャリアの使用状態の一例を示す図である。
【００１０】
図１および図２に示すように、ベビーキャリア１は、乳幼児の腹部、股部および背部をそれぞれ支持するための前当て部３、股当て部４および背当て部５を一体に連設して形成されたキャリア本体２を有している。
【００１１】
前当て部３の左右両端には、下方に延びる一対のショルダーベルト６，６′が取り付けられている。各ショルダーベルト６，６′の先端には、ベルト部材１１，１１′を介してワンタッチバックル１２，１２′が取り付けられている。また各ショルダーベルト６，６′の前当て部側には、（第２の）ベルト部材９，９′を介してワンタッチバックル（第２のバックル）１０，１０′が取り付けられている。
【００１２】
股当て部４の左右両側部には、両側方に延びるベルト部材１５，１５′を介してワンタッチバックル１６，１６′が取り付けられている。これらのワンタッチバックル１６，１６′は、ショルダーベルト６，６′のワンタッチバックル１２，１２′に係脱自在に係合し得るようになっている。
【００１３】
背当て部５の左右両肩部には、乳幼児の体側部を支持するためのサイドサポート２５，２５′が斜め上方に張り出して設けられている。各サイドサポート２５，２５′には、（第１の）ベルト部材２０，２０′を介してワンタッチバックル（第１のバックル）２１，２１′が取り付けられている。各ワンタッチバックル２１，２１′は、ショルダーベルト６，６′の各ワンタッチバックル１０，１０′に係脱自在に係合し得るようになっている。
【００１４】
各サイドサポート２５，２５′には係止ホック２６，２６′が取り付けられており、これらの係止ホック２６，２６′は、前当て部３の両側部に取り付けた係止ホック２７，２７′に係脱自在に係合し得るようになっている。
【００１５】
背当て部５には、乳幼児の頭部を支持するためのヘッドサポート３０が着脱自在に設けられている。ヘッドサポート３０の両側部３２，３２′には、係止ホック３３，３３′が取り付けられている。これらの係止ホック３３，３３′は、ショルダーベルト６，６′に取り付けられた係止ホック１９，１９′に係脱自在に係合し得るようになっている。
【００１６】
ショルダーベルト６，６′には、サイドサポート２５，２５′の各ワンタッチバックル２１，２１′がショルダーベルト６，６′の各ワンタッチバックル１０，１０′から離れて脱落するのを防止するための脱落防止部材７，７′が設けられている。
【００１７】
脱落防止部材７，７′は、図３および図４に示すように、略Ｄ字状の環状部材であって、各ワンタッチバックル２１，２１′が挿通しかつ挿通後は係合し得る環状穴７ａ，７′ａを有している。また脱落防止部材７，７′は、ショルダーベルト６，６′に取り付けられた各ベルト片８，８′に支持されている。なお、符号４２，４２′はそれぞれワンタッチバックル１０，１０′の操作部である。
【００１８】
上述のように構成されたベビーキャリア１の組立ての際には、まず、ショルダーベルト６，６′を子守者の両肩に掛け、ショルダーベルト６，６′先端の各ワンタッチバックル１２，１２′をそれぞれベルト部材１５，１５′先端の各ワンタッチバックル１６，１６′に係合させる（図１，図２一点鎖線参照）。
【００１９】
次に、乳幼児を抱いた状態で背当て部５を子守者側に引き寄せ、この状態から、サイドサポート２５側のワンタッチバックル２１をショルダーベルト６側の脱落防止部材７の環状穴７ａに通した後（図４参照）、ワンタッチバックル２１をワンタッチバックル１０に係合させる。同様にして、サイドサポート２５′側のワンタッチバックル２１′をショルダーベルト６′側の脱落防止部材７′の環状穴７′ａに通した後（図４参照）、ワンタッチバックル２１′をワンタッチバックル１０′に係合させる（図５参照）。
【００２０】
このようにして、各ベルト部材９，２０および９′，２０′がそれぞれ締結されることにより、キャリア本体２の背当て部５が子守者側に接近して保持されて、キャリア本体２が袋状に組み立てられ（図５および図６参照）、キャリア本体２内で乳幼児が保持されることになる。なお、この場合には、さらに、サイドサポート２５，２５′の各係止ホック２６，２６′が、前当て部３の各係止ホック２７，２７′に係合しており、ヘッドサポート両側部３２，３２′の各係止ホック３３，３３′が、ショルダーベルト６，６′の各係止ホック１９，１９′に係合している。
【００２１】
次に、この状態から、仮にワンタッチバックル２１，２１′がワンタッチバックル１０，１０′から外れたとする。このとき、図４に示すように、ワンタッチバックル２１，２１′は各脱落防止部材７，７′の環状穴７ａ，７′ａと干渉し、これにより、ワンタッチバックル２１，２１′がワンタッチバックル１０，１０′から離れて下方に脱落するのが防止される。このようにして、ワンタッチバックル２１，２１′の非係合時に、キャリア本体２の背当て部５が子守者側から離れて下方に脱落するのを防止できる。
【００２２】
なお、前記実施態様では、脱落防止部材７，７′がショルダーベルト６，６′に取り付けたベルト片８，８′に支持された例を示したが、本発明の適用はこのような脱落防止部材に限定されず、本発明は、図７および図８に示すような脱落防止部材にも同様に適用できる。なお、これらの図において、図３と同一符号は同一または相当部分を示している。
【００２３】
図７および図８に示すように、これらの脱落防止部材はいずれも、前記実施態様の脱落防止部材に相当する環状部７，７′に略コ字状の支持部２９を一体に取り付けた形状を有している。そして、図７に示すものでは、支持部２９が各ワンタッチバックル１０，１０′に直接取り付けられており、また図８に示すものでは、支持部２９が、各ワンタッチバックル１０，１０′とともに各ベルト片９，９′に支持されている。
【００２４】
これらの場合においても、前記実施態様と同様に、ワンタッチバックル２１，２１′の脱落を各環状部７，７′により防止でき、キャリア本体２の背当て部５がショルダーベルト６，６′から外れて子守者側から離れるのを確実に防止できる。
【００２５】
【発明の効果】
以上のように本発明によれば、第１のバックルが挿通しかつ挿通後は第１のバックルが係合し得る環状穴を有する脱落防止部材を設けるようにしたので、キャリア本体の背当て部が子守者側から離れて脱落するのを防止できる効果がある。
【図面の簡単な説明】
【図１】本発明の一実施態様による脱落防止機構が採用されたベビーキャリアの展開状態の表面図である。
【図２】前記ベビーキャリアの裏面図である。
【図３】前記脱落防止機構の斜視拡大図である。
【図４】前記脱落防止機構を構成する各バックルの係合前の状態を示す図または前記脱落防止機構の作動を説明するための図である。
【図５】前記ベビーキャリアの組立状態の正面図である。
【図６】前記ベビーキャリアの使用状態の一例を示す図である。
【図７】本発明の他の実施態様による脱落防止部材を示す図である。
【図８】本発明のさらに他の実施態様による脱落防止部材を示す図である。
【符号の説明】
１：　ベビーキャリア
２：　キャリア本体
５：　背当て部
７，７′：　脱落防止部材
９，９′：　（第２の）ベルト部材
１０，１０′：ワンタッチバックル（第２のバックル）
２０，２０′：（第１の）ベルト部材
２１，２１′：　ワンタッチバックル（第１のバックル）
【図１】
2004000687.tif 000003
【図２】
2004000687.tif 000004
【図３】
2004000687.tif 000005
【図４】
2004000687.tif 000006
【図５】
2004000687.tif 000007
【図６】
2004000687.tif 000008
【図７】
2004000687.tif 000009
【図８】
2004000687.tif 000010